(57)【要約】【課題】複数の入出力機能で共通のデータ形式で読み取りおよび画像処理可能な画像処理装置を提供する。【解決手段】画像処理装置は、入力した情報について、共通書誌情報生成部１５が複数の入力機能（スキャナ１、ＨＤＤ４、ファクシミリ部５）、および複数の出力機能（ＨＤＤ４、ファクシミリ部５、プロッタ６）が共通に読み取り可能な共通書誌情報を生成し、画像データ生成部１３が共通に読み取り可能な画像データを生成し、個別書誌情報生成部１６が共通に読み取り可能な個別的な書誌情報を生成して記憶部１７に格納する。出力の際には、出力制御部１８が設定部１２による出力設定に従って、格納された共通書誌情報を読み出し、読み出した共通書誌情報によって画像データを読み出し、個別書誌情報および出力設定に従って設定された出力機能によって出力処理を施す。【選択図】        図１
2008011409.tif 000002
【特許請求の範囲】
【請求項１】
情報を入力する複数の入力手段と、
前記入力手段が入力する情報に対して出力処理を施す複数の出力手段と、
前記入力手段により入力された情報から、前記複数の出力手段で共通に利用可能な画像情報を生成する画像情報生成手段と、
前記画像情報について、前記複数の出力手段で共通に利用可能な共通書誌情報を生成する共通書誌情報生成手段と、
前記画像情報および前記共通書誌情報を記憶する記憶手段と、
を備え、
前記出力手段は、前記記憶手段から前記共通書誌情報を読み出し、読み出した前記共通書誌情報に従って前記記憶手段から前記画像情報を読み出し、読み出した前記画像情報に対して、出力処理を施すものであることを特徴とする画像処理装置。
【請求項２】
前記画像情報について、特定の出力手段により利用される個別書誌情報を生成する個別書誌情報生成手段を、さらに備え、
前記出力手段は、前記個別書誌情報に、さらに基づいて、前記画像情報に対して出力処理を施すものであることを特徴とする請求項１に記載の画像処理装置。
【請求項３】
前記個別書誌情報生成手段は、前記個別書誌情報を、さらに、特定の入力手段により入力された情報から生成するものであることを特徴とする請求項２に記載の画像処理装置。
【請求項４】
前記共通書誌情報生成手段は、前記共通書誌情報を、さらに、複数の入力手段で利用可能なものとして生成するものであることを特徴とする請求項１〜３のいずれか１つに記載の画像処理装置。
【請求項５】
前記共通書誌情報は、複数の入力手段の各々により入力された情報から共通に生成可能であることを特徴とする請求項１〜４のいずれか１つに記載の画像処理装置。
【請求項６】
前記入力手段が情報を入力する設定および前記出力手段が出力処理を施す設定を受け付ける設定手段を、さらに備え、
前記入力手段は、前記設定手段が受け付けた設定に基づいて前記情報を入力し、
前記出力手段は、前記設定手段が受け付けた設定に基づいて、前記入力する情報に対して出力処理を施すものであることを特徴とする請求項１〜５のいずれか１つに記載の画像処理装置。
【請求項７】
前記入力手段は、ファクシミリ受信による入力、スキャナによる画像読み取り入力、および記憶装置からの読み込み入力の少なくともいずれかによる入力を行うことを特徴とする請求項１〜６のいずれか１つに記載の画像処理装置。
【請求項８】
前記出力手段は、ファクシミリ送信による出力、プロッタによる画像出力、および記憶装置への書き込み出力の少なくともいずれかによる出力を行うことを特徴とする請求項１〜７のいずれか１つに記載の画像処理装置。
【請求項９】
前記入力手段が入力する情報に含まれるメタ情報を取得するメタ情報取得手段を、さらに備え、
前記共通書誌情報生成手段は、前記メタ情報取得手段が取得したメタ情報から、前記共通書誌情報を生成するものであることを特徴とする請求項１〜８のいずれか１つに記載の画像処理装置。
【請求項１０】
前記個別書誌情報生成手段は、前記メタ情報取得手段が取得したメタ情報から、前記個別書誌情報を生成するものであることを特徴とする請求項９に記載の画像処理装置。
【請求項１１】
前記共通書誌情報を出力画像に埋め込み可能なメタ情報に変換するメタ情報変換手段を、さらに備え、
前記出力手段は、前記メタ情報変換手段が変換したメタ情報を前記画像情報に埋め込んで出力処理を施すものであることを特徴とする請求項１〜１０のいずれか１つに記載の画像処理装置。
【請求項１２】
前記メタ情報変換手段は、前記個別書誌情報を出力画像に埋め込み可能なメタ情報に変換し、
前記出力手段は、前記メタ情報変換手段が変換したメタ情報を前記画像情報に埋め込んで出力処理を施すものであることを特徴とする請求項１１に記載の画像処理装置。
【請求項１３】
メタ情報をテキスト情報に変換するするメタテキスト変換手段を、さらに備え、
前記設定手段は、前記メタテキスト変換手段が変換したテキスト情報に基づいて入力および出力の設定を行うものであることを特徴とする請求項６〜１２のいずれか１つに記載の画像処理装置。
【請求項１４】
前記メタテキスト変換手段は、前記メタ情報を前記共通書誌情報および個別書誌情報に変換し、
前記設定手段は、前記メタテキスト変換手段によって変換された共通書誌情報および個別書誌情報に基づいて入力および出力の設定を行うものであることを特徴とする請求項１３に記載の画像処理装置。
【請求項１５】
複数の入力手段と複数の出力手段を備えた画像処理装置の画像処理方法であって、
前記入力手段によって、情報を入力する入力工程と、
前記出力手段によって、前記入力工程で入力する情報に対して出力処理を施す複数の出力工程と、
画像情報生成手段によって、前記入力工程で入力された情報から、前記複数の出力手段で共通に利用可能な画像情報を生成する画像情報生成工程と、
共通書誌情報生成手段によって、前記画像情報について、前記複数の出力手段で共通に利用可能な共通書誌情報を生成する共通書誌情報生成工程と、
記憶手段によって、前記画像情報および前記共通書誌情報を記憶する記憶工程と、
を含み、
前記出力工程は、前記記憶手段から前記共通書誌情報を読み出し、読み出した前記共通書誌情報に従って前記記憶手段から前記画像情報を読み出し、読み出した前記画像情報に対して、出力処理を施すものであることを特徴とする画像処理方法。
【請求項１６】
個別書誌情報生成手段によって、前記画像情報について、特定の出力手段により利用される個別書誌情報を生成する個別書誌情報生成工程を、さらに含み、
前記出力工程は、前記個別書誌情報に、さらに基づいて、前記画像情報に対して出力処理を施すものであることを特徴とする請求項１５に記載の画像処理方法。
【請求項１７】
前記個別書誌情報生成工程は、前記個別書誌情報を、さらに、特定の入力手段により入力された情報から生成するものであることを特徴とする請求項１６に記載の画像処理方法。
【請求項１８】
前記共通書誌情報生成工程は、前記共通書誌情報を、さらに、複数の入力手段で利用可能なものとして生成するものであることを特徴とする請求項１５〜１７のいずれか１つに記載の画像処理方法。
【請求項１９】
前記前記共通書誌情報は、複数の入力手段の各々により入力された情報から共通に生成可能であることを特徴とする請求項１５〜１８のいずれか１つに記載の画像処理方法。
【請求項２０】
設定手段によって、前記入力手段が情報を入力する設定および前記出力手段が出力処理を施す設定を受け付ける設定工程を、さらに含み、
前記入力工程は、前記設定工程で受け付けた設定に基づいて前記情報を入力し、
前記出力工程は、前記設定工程で受け付けた設定に基づいて、前記入力する情報に対して出力処理を施すものであることを特徴とする請求項１５〜１９のいずれか１つに記載の画像処理方法。
【請求項２１】
前記入力工程は、ファクシミリ受信による入力、スキャナによる画像読み取り入力、および記憶方法からの読み込み入力の少なくともいずれかによる入力を行うことを特徴とする請求項１５〜２０のいずれか１つに記載の画像処理方法。
【請求項２２】
前記出力工程は、ファクシミリ送信による出力、プロッタによる画像出力、および記憶方法への書き込み出力の少なくともいずれかによる出力を行うことを特徴とする請求項１５〜２１のいずれか１つに記載の画像処理方法。
【請求項２３】
メタ情報取得手段によって、前記入力工程で入力する情報に含まれるメタ情報を取得するメタ情報取得工程を、さらに含み、
前記共通書誌情報生成工程は、前記メタ情報取得工程で取得したメタ情報から、前記共通書誌情報を生成するものであることを特徴とする請求項１５〜２２のいずれか１つに記載の画像処理方法。
【請求項２４】
前記個別書誌情報生成工程は、前記メタ情報取得工程で取得したメタ情報から、前記個別書誌情報を生成するものであることを特徴とする請求項２３に記載の画像処理方法。
【請求項２５】
メタ情報変換手段によって、前記共通書誌情報を出力画像に埋め込み可能なメタ情報に変換するメタ情報変換工程を、さらに含み、
前記出力工程は、前記メタ情報変換工程で変換したメタ情報を前記画像情報に埋め込んで出力処理を施すものであることを特徴とする請求項１５〜２４のいずれか１つに記載の画像処理方法。
【請求項２６】
前記メタ情報変換工程は、前記個別書誌情報を出力画像に埋め込み可能なメタ情報に変換し、
前記出力工程は、前記メタ情報変換工程が変換したメタ情報を前記画像情報に埋め込んで出力処理を施すものであることを特徴とする請求項２５に記載の画像処理方法。
【請求項２７】
メタテキスト変換手段によって、メタ情報をテキスト情報に変換するするメタテキスト変換工程を、さらに含み、
前記設定工程は、前記メタテキスト変換工程で変換したテキスト情報に基づいて入力および出力の設定を行うものであることを特徴とする請求項２０〜２６のいずれか１つに記載の画像処理方法。
【請求項２８】
前記メタテキスト変換工程は、前記メタ情報を前記共通書誌情報および個別書誌情報に変換し、
前記設定工程は、前記メタテキスト変換工程で変換された共通書誌情報および個別書誌情報に基づいて入力および出力の設定を行うものであることを特徴とする請求項２７に記載の画像処理方法。
【請求項２９】
請求項１５〜２８のいずれか１つに記載の画像処理方法をコンピュータに実行させることを特徴とするプログラム。
【発明の詳細な説明】
【技術分野】
【０００１】
本発明は、画像処理装置、画像処理方法、およびその方法をコンピュータに実行させるプログラムに関するものである。
【背景技術】
【０００２】
コピー機能、スキャナ機能、印刷機能、およびファクシミリ機能を含むいわゆる複合機（ＭＦＰ）は、一つの機器によって各機能を実現している。従来、このＭＦＰでは、機能ごとに専用のソフトウェア、例えば、コピーソフト、スキャナソフト、プリントソフト、あるいはファクシミリソフトを備えて各機能を実現してきた。このため、ＭＦＰは、各機能ごとに生成する入力用の画像情報を使用するため、各機能ごとに専用の入力用の画像情報、例えばコピー用画像情報、スキャナ用画像情報等を生成する必要があり、ソフトウェア資源に無駄が多かった。
【０００３】
また、出力に関しては、入力した画像情報をそのまま使用することができなかったので、例えば、スキャナ、印刷出力手段、コピー手段を備えていても、スキャナソフトと印刷ソフトでは共通のフォーマットを使用できないために、スキャナソフトと印刷ソフトとは別にコピーソフトが必要であった。
【０００４】
このような問題を解決するために、異なるアプリケーションであっても共通的に統合したデータから印刷できる印刷データ生成手段を備えた情報処理装置が提案されている（特許文献１）。
【０００５】
【特許文献１】特開２００５−６３２４３号公報
【発明の開示】
【発明が解決しようとする課題】
【０００６】
しかしながら、特許文献１に記載された技術によると、アプリケーションが生成した各種のデータを統一的に扱って１つの印刷データを生成できるのであるが、複数のアプリケーションデータから、共通的なフォーマット上で、複数の出力手段から出力できるデータを生成して出力することはできなかった。
【０００７】
本願発明は、上記の問題に鑑みてなされ、その目的は、複数の入力手段によるデータを、共通的なフォーマット上で、複数の出力手段から出力できるようにする画像処理装置、画像処理方法、およびその方法をコンピュータに実行させるプログラムを提供するものである。
【課題を解決するための手段】
【０００８】
上述した課題を解決し、目的を達成するために、請求項１にかかる発明は、画像処理装置において、情報を入力する複数の入力手段と、前記入力手段が入力する情報に対して出力処理を施す複数の出力手段と、前記入力手段により入力された情報から、前記複数の出力手段で共通に利用可能な画像情報を生成する画像情報生成手段と、前記画像情報について、前記複数の出力手段で共通に利用可能な共通書誌情報を生成する共通書誌情報生成手段と、前記画像情報および前記共通書誌情報を記憶する記憶手段と、を備え、前記出力手段は、前記記憶手段から前記共通書誌情報を読み出し、読み出した前記共通書誌情報に従って前記記憶手段から前記画像情報を読み出し、読み出した前記画像情報に対して、出力処理を施すものであることを特徴とする。
【０００９】
請求項２に係る発明は、請求項１に記載の画像処理装置において、前記画像情報について、特定の出力手段により利用される個別書誌情報を生成する個別書誌情報生成手段を、さらに備え、前記出力手段は、前記個別書誌情報に、さらに基づいて、前記画像情報に対して出力処理を施すものであることを特徴とする。
【００１０】
請求項３に係る発明は、請求項２に記載の画像処理装置において、前記個別書誌情報生成手段は、前記個別書誌情報を、さらに、特定の入力手段により入力された情報から生成するものであることを特徴とする。
【００１１】
請求項４に係る発明は、請求項１〜３のいずれか１つに記載の画像処理装置において、前記共通書誌情報生成手段は、前記共通書誌情報を、さらに、複数の入力手段で利用可能なものとして生成するものであることを特徴とする。
【００１２】
請求項５に係る発明は、請求項１〜４のいずれか１つに記載の画像処理装置において、前記共通書誌情報は、複数の入力手段の各々により入力された情報から共通に生成可能であることを特徴とする。
【００１３】
請求項６に係る発明は、請求項１〜５のいずれか１つに記載の画像処理装置において、前記入力手段が情報を入力する設定および前記出力手段が出力処理を施す設定を受け付ける設定手段を、さらに備え、前記入力手段は、前記設定手段が受け付けた設定に基づいて前記情報を入力し、前記出力手段は、前記設定手段が受け付けた設定に基づいて、前記入力する情報に対して出力処理を施すものであることを特徴とする。
【００１４】
請求項７に係る発明は、請求項１〜６のいずれか１つに記載の画像処理装置において、前記入力手段は、ファクシミリ受信による入力、スキャナによる画像読み取り入力、および記憶装置からの読み込み入力の少なくともいずれかによる入力を行うことを特徴とする。
【００１５】
請求項８に係る発明は、請求項１〜７のいずれか１つに記載の画像処理装置において、前記出力手段は、ファクシミリ送信による出力、プロッタによる画像出力、および記憶装置への書き込み出力の少なくともいずれかによる出力を行うことを特徴とする。
【００１６】
請求項９に係る発明は、請求項１〜８のいずれか１つに記載の画像処理装置において、前記入力手段が入力する情報に含まれるメタ情報を取得するメタ情報取得手段を、さらに備え、前記共通書誌情報生成手段は、前記メタ情報取得手段が取得したメタ情報から、前記共通書誌情報を生成するものであることを特徴とする。
【００１７】
請求項１０に係る発明は、請求項９に記載の画像処理装置において、前記個別書誌情報生成手段は、前記メタ情報取得手段が取得したメタ情報から、前記個別書誌情報を生成するものであることを特徴とする。
【００１８】
請求項１１に係る発明は、請求項１〜１０のいずれか１つに記載の画像処理装置において、前記共通書誌情報を出力画像に埋め込み可能なメタ情報に変換するメタ情報変換手段を、さらに備え、前記出力手段は、前記メタ情報変換手段が変換したメタ情報を前記画像情報に埋め込んで出力処理を施すものであることを特徴とする。
【００１９】
請求項１２に係る発明は、請求項１１に記載の画像処理装置において、前記メタ情報変換手段は、前記個別書誌情報を出力画像に埋め込み可能なメタ情報に変換し、前記出力手段は、前記メタ情報変換手段が変換したメタ情報を前記画像情報に埋め込んで出力処理を施すものであることを特徴とする。
【００２０】
請求項１３に係る発明は、請求項６〜１２のいずれか１つに記載の画像処理装置において、メタ情報をテキスト情報に変換するするメタテキスト変換手段を、さらに備え、前記設定手段は、前記メタテキスト変換手段が変換したテキスト情報に基づいて入力および出力の設定を行うものであることを特徴とする。
【００２１】
請求項１４に係る発明は、請求項１３に記載の画像処理装置において、前記メタテキスト変換手段は、前記メタ情報を前記共通書誌情報および個別書誌情報に変換し、前記設定手段は、前記メタテキスト変換手段によって変換された共通書誌情報および個別書誌情報に基づいて入力および出力の設定を行うものであることを特徴とする。
【００２２】
請求項１５に係る発明は、複数の入力手段と複数の出力手段を備えた画像処理装置の画像処理方法であって、前記入力手段によって、情報を入力する入力工程と、前記出力手段によって、前記入力工程で入力する情報に対して出力処理を施す複数の出力工程と、画像情報生成手段によって、前記入力工程で入力された情報から、前記複数の出力手段で共通に利用可能な画像情報を生成する画像情報生成工程と、共通書誌情報生成手段によって、前記画像情報について、前記複数の出力手段で共通に利用可能な共通書誌情報を生成する共通書誌情報生成工程と、記憶手段によって、前記画像情報および前記共通書誌情報を記憶する記憶工程と、を含み、前記出力工程は、前記記憶手段から前記共通書誌情報を読み出し、読み出した前記共通書誌情報に従って前記記憶手段から前記画像情報を読み出し、読み出した前記画像情報に対して、出力処理を施すものであることを特徴とする。
【００２３】
請求項１６に係る発明は、請求項１５に記載の画像処理方法において、個別書誌情報生成手段によって、前記画像情報について、特定の出力手段により利用される個別書誌情報を生成する個別書誌情報生成工程を、さらに含み、前記出力工程は、前記個別書誌情報に、さらに基づいて、前記画像情報に対して出力処理を施すものであることを特徴とする。
【００２４】
請求項１７に係る発明は、請求項１６に記載の画像処理方法において、前記個別書誌情報生成工程は、前記個別書誌情報を、さらに、特定の入力手段により入力された情報から生成するものであることを特徴とする。
【００２５】
請求項１８に係る発明は、請求項１５〜１７のいずれか１つに記載の画像処理方法において、前記共通書誌情報生成工程は、前記共通書誌情報を、さらに、複数の入力手段で利用可能なものとして生成するものであることを特徴とする。
【００２６】
請求項１９に係る発明は、請求項１５〜１８のいずれか１つに記載の画像処理方法において、前記前記共通書誌情報は、複数の入力手段の各々により入力された情報から共通に生成可能であることを特徴とする。
【００２７】
請求項２０に係る発明は、請求項１５〜１９のいずれか１つに記載の画像処理方法において、設定手段によって、前記入力手段が情報を入力する設定および前記出力手段が出力処理を施す設定を受け付ける設定工程を、さらに含み、前記入力工程は、前記設定工程で受け付けた設定に基づいて前記情報を入力し、前記出力工程は、前記設定工程で受け付けた設定に基づいて、前記入力する情報に対して出力処理を施すものであることを特徴とする。
【００２８】
請求項２１に係る発明は、請求項１５〜２０のいずれか１つに記載の画像処理方法において、前記入力工程は、ファクシミリ受信による入力、スキャナによる画像読み取り入力、および記憶方法からの読み込み入力の少なくともいずれかによる入力を行うことを特徴とする。
【００２９】
請求項２２に係る発明は、請求項１５〜２１のいずれか１つに記載の画像処理方法において、前記出力工程は、ファクシミリ送信による出力、プロッタによる画像出力、および記憶方法への書き込み出力の少なくともいずれかによる出力を行うことを特徴とする。
【００３０】
請求項２３に係る発明は、請求項１５〜２２のいずれか１つに記載の画像処理方法において、メタ情報取得手段によって、前記入力工程で入力する情報に含まれるメタ情報を取得するメタ情報取得工程を、さらに含み、前記共通書誌情報生成工程は、前記メタ情報取得工程で取得したメタ情報から、前記共通書誌情報を生成するものであることを特徴とする。
【００３１】
請求項２４に係る発明は、請求項２３に記載の画像処理方法において、前記個別書誌情報生成工程は、前記メタ情報取得工程で取得したメタ情報から、前記個別書誌情報を生成するものであることを特徴とする。
【００３２】
請求項２５に係る発明は、請求項１５〜２４のいずれか１つに記載の画像処理方法において、メタ情報変換手段によって、前記共通書誌情報を出力画像に埋め込み可能なメタ情報に変換するメタ情報変換工程を、さらに含み、前記出力工程は、前記メタ情報変換工程で変換したメタ情報を前記画像情報に埋め込んで出力処理を施すものであることを特徴とする。
【００３３】
請求項２６に係る発明は、請求項２５に記載の画像処理方法において、前記メタ情報変換工程は、前記個別書誌情報を出力画像に埋め込み可能なメタ情報に変換し、前記出力工程は、前記メタ情報変換工程が変換したメタ情報を前記画像情報に埋め込んで出力処理を施すものであることを特徴とする。
【００３４】
請求項２７に係る発明は、請求項２０〜２６のいずれか１つに記載の画像処理方法において、メタテキスト変換手段によって、メタ情報をテキスト情報に変換するするメタテキスト変換工程を、さらに含み、前記設定工程は、前記メタテキスト変換工程で変換したテキスト情報に基づいて入力および出力の設定を行うものであることを特徴とする。
【００３５】
請求項２８に係る発明は、請求項２７に記載の画像処理方法において、前記メタテキスト変換工程は、前記メタ情報を前記共通書誌情報および個別書誌情報に変換し、前記設定工程は、前記メタテキスト変換工程で変換された共通書誌情報および個別書誌情報に基づいて入力および出力の設定を行うものであることを特徴とする。
【００３６】
請求項２９にかかる発明は、プログラムにおいて、請求項１５〜２８のいずれか１つに記載の画像処理方法をコンピュータに実行させることを特徴とする。
【発明の効果】
【００３７】
請求項１に係る発明によれば、複数の入力手段から入力する情報から、複数の出力手段で共通に利用可能な画像情報を生成し、画像情報について、複数の出力手段で共通に利用可能な共通書誌情報を生成し、画像情報および共通書誌情報を記憶手段に記憶し、出力手段は、記憶手段から共通書誌情報を読み出し、読み出した共通書誌情報に従って画像情報を読み出して出力処理を施す。この構成によって、入力手段および出力手段に共通する書誌情報および画像情報を使用し、入力手段に依存することなく画像情報を入力して出力手段に依存することなく出力することができ、入力手段の違いによらず入力する情報を種々の出力手段から出力することができるので、簡易な構成によって利便性の高い画像処理装置を提供できるという効果を奏する。
【００３８】
請求項２に係る発明によれば、画像情報について、特定の出力手段により利用される個別書誌情報を生成し、出力手段は、個別書誌情報に、さらに基づいて、画像情報に対して出力処理を施す。この構成によって、出力手段によって異なる個別書誌情報によって出力処理を施すので、出力手段によって異なるより詳細な出力様式で出力処理を施すことができるという効果を奏する。
【００３９】
請求項３に係る発明によれば、個別書誌情報を、さらに、特定の入力手段により入力された情報から生成するので、詳細な入力時の個別書誌情報を取得することができるという効果を奏する。
【００４０】
請求項４に係る発明によれば、共通書誌情報を、さらに、複数の入力手段で利用可能なものとして生成することによって、複数の入力手段によって共通書誌情報を利用することができるという効果を奏する。
【００４１】
請求項５に係る発明によれば、共通書誌情報は、複数の入力手段の各々により入力された情報から共通に生成可能であることによって、生成される共通書誌情報は、複数の入力手段によって共通に利用可能となるという効果を奏する。
【００４２】
請求項６に係る発明によれば、入力手段が情報を入力する設定および出力手段が出力処理を施す設定を受け付け、入力手段は、受け付けた設定に基づいて情報を入力し、出力手段は、受け付けた設定に基づいて、入力する情報に対して出力処理を施す。この構成によって、入力手段による入力および出力手段による出力処理について設定することができるので、より詳細に情報の入出力処理を設定することができるという効果を奏する。
【００４３】
請求項７に係る発明によれば、入力手段は、ファクシミリ受信による入力、スキャナによる画像読み取り入力、および記憶装置からの読み込み入力の少なくともいずれかによる入力を行う。この構成によって、ファクシミリ受信による入力、スキャナによる画像読み取り入力、あるいは記憶装置からの読み込み入力などから共通の画像情報を入力することができるという効果を奏する。
【００４４】
請求項８に係る発明によれば、出力手段は、ファクシミリ送信による出力、プロッタによる画像出力、および記憶装置への書き込み出力の少なくともいずれかによる出力を行う。この構成によって、入力手段によって取得する共通の画像情報に対して、ファクシミリ送信による出力、プロッタによる画像出力、あるいは記憶装置への書き込み出力などの出力を行うことができるという効果を奏する。
【００４５】
請求項９に係る発明によれば、入力手段が入力する画像情報に含まれるメタ情報を取得し、取得したメタ情報から、共通書誌情報を生成する。この構成によって、画像情報に含まれるメタ情報を取得するという簡便な方法によって共通書誌情報を取得することができるという効果を奏する。
【００４６】
請求項１０に係る発明によれば、取得したメタ情報から、個別書誌情報を生成する。この構成によって、画像情報に含まれるメタ情報を取得するという簡便な方法によって個別書誌情報を取得することができるという効果を奏する。
【００４７】
請求項１１に係る発明によれば、共通書誌情報を出力画像に埋め込み可能なメタ情報に変換し、出力手段は、変換したメタ情報を画像情報に対して埋め込んで出力処理を施すことができるという効果を奏する。
【００４８】
請求項１２に係る発明によれば、個別書誌情報を出力画像に埋め込み可能なメタ情報に変換し、出力手段は、変換したメタ情報を画像情報に対して埋め込んで出力処理を施すことができるという効果を奏する。
【００４９】
請求項１３に係る発明によれば、メタ情報をテキスト情報に解釈し、解釈したテキスト情報に基づいて出力の設定を行うことができるという効果を奏する。
【００５０】
請求項１４に係る発明によれば、メタ情報を共通書誌情報および個別書誌情報に解釈し、解釈された共通書誌情報および個別書誌情報に基づいて出力の設定を行うことができるという効果を奏する。
【００５１】
請求項１５に係る発明によれば、複数の入力手段から入力する情報から、複数の出力手段で共通に利用可能な画像情報を生成し、画像情報について、複数の出力手段で共通に利用可能な共通書誌情報を生成し、画像情報および共通書誌情報を記憶手段に記憶し、出力手段は、記憶手段から共通書誌情報を読み出し、読み出した共通書誌情報に従って画像情報を読み出して出力処理を施す。この構成によって、入力手段および出力手段に共通する書誌情報および画像情報を使用し、入力手段に依存することなく画像情報を入力して出力手段に依存することなく出力することができ、入力手段の違いによらず入力する情報を種々の出力手段から出力することができるので、簡易な構成によって利便性の高い画像処理装置を提供できるという効果を奏する。
【００５２】
請求項１６に係る発明によれば、画像情報について、特定の出力手段により利用される個別書誌情報を生成し、出力手段は、個別書誌情報に、さらに基づいて、画像情報に対して出力処理を施す。この構成によって、出力手段によって異なる個別書誌情報によって出力処理を施すので、出力手段によって異なるより詳細な出力様式で出力処理を施すことができるという効果を奏する。
【００５３】
請求項１７に係る発明によれば、個別書誌情報を、さらに、特定の入力手段により入力された情報から生成するので、詳細な入力時の個別書誌情報を取得することができるという効果を奏する。
【００５４】
請求項１８に係る発明によれば、共通書誌情報を、さらに、複数の入力手段で利用可能なものとして生成することによって、複数の入力手段によって共通書誌情報を利用することができるという効果を奏する。
【００５５】
請求項１９に係る発明によれば、共通書誌情報は、複数の入力手段の各々により入力された情報から共通に生成可能であることによって、生成される共通書誌情報は、複数の入力手段によって共通に利用可能となるという効果を奏する。
【００５６】
請求項２０に係る発明によれば、入力手段が情報を入力する設定および出力手段が出力処理を施す設定を受け付け、入力手段は、受け付けた設定に基づいて情報を入力し、出力手段は、受け付けた設定に基づいて、入力する情報に対して出力処理を施す。この構成によって、入力手段による入力および出力手段による出力処理について設定することができるので、より詳細に情報の入出力処理を設定することができるという効果を奏する。
【００５７】
請求項２１に係る発明によれば、入力手段は、ファクシミリ受信による入力、スキャナによる画像読み取り入力、および記憶装置からの読み込み入力の少なくともいずれかによる入力を行う。この構成によって、ファクシミリ受信による入力、スキャナによる画像読み取り入力、あるいは記憶装置からの読み込み入力などから共通の画像情報を入力することができるという効果を奏する。
【００５８】
請求項２２に係る発明によれば、出力手段は、ファクシミリ送信による出力、プロッタによる画像出力、および記憶装置への書き込み出力の少なくともいずれかによる出力を行う。この構成によって、入力手段によって取得する共通の画像情報に対して、ファクシミリ送信による出力、プロッタによる画像出力、あるいは記憶装置への書き込み出力などの出力を行うことができるという効果を奏する。
【００５９】
請求項２３に係る発明によれば、入力手段が入力する画像情報に含まれるメタ情報を取得し、取得したメタ情報から、共通書誌情報を生成する。この構成によって、画像情報に含まれるメタ情報を取得するという簡便な方法によって共通書誌情報を取得することができるという効果を奏する。
【００６０】
請求項２４に係る発明によれば、取得したメタ情報から、個別書誌情報を生成する。この構成によって、画像情報に含まれるメタ情報を取得するという簡便な方法によって個別書誌情報を取得することができるという効果を奏する。
【００６１】
請求項２５に係る発明によれば、共通書誌情報を出力画像に埋め込み可能なメタ情報に変換し、出力手段は、変換したメタ情報を画像情報に対して埋め込んで出力処理を施すことができるという効果を奏する。
【００６２】
請求項２６に係る発明によれば、個別書誌情報を出力画像に埋め込み可能なメタ情報に変換し、出力手段は、変換したメタ情報を画像情報に対して埋め込んで出力処理を施すことができるという効果を奏する。
【００６３】
請求項２７に係る発明によれば、メタ情報をテキスト情報に解釈し、解釈したテキスト情報に基づいて出力の設定を行うことができるという効果を奏する。
【００６４】
請求項２８に係る発明によれば、メタ情報を共通書誌情報および個別書誌情報に解釈し、解釈された共通書誌情報および個別書誌情報に基づいて出力の設定を行うことができるという効果を奏する。
【００６５】
請求項２９に係る発明によれば、請求項１５〜２８のいずれか１つに記載の画像処理方法をコンピュータに実行させることができるという効果を奏する。
【発明を実施するための最良の形態】
【００６６】
以下に添付図面を参照して、この発明にかかる画像処理装置、画像処理方法、およびその方法をコンピュータに実行させるプログラムの最良な実施の形態を、実施の形態１〜５に沿って詳細に説明する。
【００６７】
（１．実施の形態１）
実施の形態１による画像処理装置は、入力した情報について、複数の入力機能および出力機能が共通に読み取り可能な共通書誌情報および画像データを生成し、記憶部１７に格納し、出力機能は出力設定に従って格納された共通書誌情報を読み出して、この共通書誌情報によって格納された画像データを読み出して出力処理を施す。
【００６８】
この構成によって、入力機能および出力機能が読み取り可能な共通書誌情報を使用して、入力機能を実行する各プログラムに依存することなく入力した画像データに対して、出力機能を実行する各プログラムに依存することなく読み出して出力処理を施すことができるので、簡易な構成によって利便性の高い画像処理装置を提供できる。また、共通に使用可能な画像データおよび共通書誌情報を記憶部１７に格納し、任意の出力機能が設定されても、格納された画像情報を読み出して設定された出力機能によって出力処理を施すことができるので、入力した画像データを共通に使用して出力することが出来る利便性の高い画像処理装置を提供できる。
【００６９】
図１は、実施の形態１による画像処理装置の機能的ブロック図である。画像処理装置は、スキャナ１、操作部２、モニタ３、ＨＤＤ４、ファクシミリ部５（図面などではＦａｘと記載）、プロッタ６、および画像処理部１０を備える。画像処理部１０は、入力制御部１１、設定部１２、画像データ生成部１３、書誌情報生成部１４、記憶部１７、および出力制御部１８を備える。
【００７０】
以下に、入力機能としてファクシミリ部５、スキャナ１、およびＨＤＤ４（ハードディスクドライブ装置）を適用した例を、出力機能としてファクシミリ部５、プロッタ６、およびＨＤＤ４を適用した例を説明する。しかし、これらの入出力機能はあくまで例示であって、本願発明はこれらの機能に限定されるものではない。
【００７１】
スキャナ１は原稿画像を読み取り、読み取って取得したアナログ光量値をデジタル変換して画像処理部１０に送信する。ファクシミリ部５は、回線を介して送信される情報を受信し、画像処理部１０に送信する。また、ファクシミリ部５は、設定部１２の設定によって、画像情報を送信先に送信する。
【００７２】
ＨＤＤ４は大容量の記憶装置であって、設定部１２の設定によって、画像データ、入出力の設定データなど各種のデジタルデータを格納する。ここでのＨＤＤ４は、大量のデータを格納し、入出力の命令に応じてデータを入出力する入出力装置として機能する。これに対して、後述する画像処理部１０内の記憶部１７は、画像処理のために必要となる入出力に必要となる情報を保持する。
【００７３】
プロッタ６は、設定部１２の設定によって、画像処理部１０で画像処理された画像を印刷出力する。
【００７４】
操作部２は、操作者からの操作入力を受け付ける。操作者は、操作部２を介して、どの入力機能によって画像情報を入力するかを設定できる。また、操作者は、操作部２を介して、どの出力機能によって画像情報を出力するかを設定する。操作部２は、キーボードやマウスを備えた入力装置として構成することも出来、あるいは、モニタ３と一体的に接触入力による方式とすることも出来る。
【００７５】
操作者は、例えば操作部２を介して、スキャナ１により画像を取り込む、ファクシミリ部５から受信する、あるいはＨＤＤ４にデータを書き込む設定を入力することができる。また、操作者は、例えば操作部２を介して、プロッタ６によって紙媒体に画像を出力する、ファクシミリ部５から送信する、あるいはＨＤＤ４からデータを読み出す設定を、入力することができる。
【００７６】
モニタ３は、入力する情報、出力しようとする情報、あるいは設定内容などを表示する。モニタ３および操作部２は一体構成とすることが出来る。
【００７７】
画像処理部１０における設定部１２は、操作部２を介して入力される操作者の設定入力を受け付けて、各機能に設定する。この設定部１２の設定によって、どの入力機能を介して入力するかなど入力機能が選択される。また、同様に、設定された出力機能が選択される。例えば、操作部２を介した入力によって、設定部１２は、スキャナ１により画像を取り込む、ファクシミリ部５から受信する、あるいはＨＤＤ４にデータを書き込む設定を行う。また、例えば、操作部２を介した入力によって、設定部１２は、プロッタ６によって紙媒体に画像を出力する、ファクシミリ部５から送信する、あるいはＨＤＤ４にデータを読み出す設定を行う。
【００７８】
画像データ生成部１３は、設定部１２によって設定された入力機能から入力された情報に従って画像データを生成する。ここでの画像データとは、従来例における各画像処理機能、即ちファクシミリ部５、プロッタ６など各機能を実行するプログラムごとに異なったフォーマット上でのみ使用可能な画像データではなく、複数の入力機能および出力機能に共通して使用可能な共通フォーマットによる画像データである。即ち、従来の技術によると、一般の画像形成装置では、各機能、例えばファクシミリ機能、プロッタ機能、スキャナ機能などそれぞれが処理する画像データは、それぞれのアプリケーションごとに異なっていた。これに対して、本願発明では、入出力の各機能で共通的に処理可能なフォーマット上で画像データを生成する。例えば、画像ファイルを一般的なビットマップイメージで生成する。画像データ生成部１３は、入力情報に従って生成した画像データを、記憶部１７に格納する。
【００７９】
書誌情報生成部１４は、共通書誌情報生成部１５、および個別書誌情報生成部１６を有する。共通書誌情報生成部１５は、各入力機能および各出力機能に共通して読み取り可能な共通の書誌情報を生成する。
【００８０】
個別書誌情報生成部１６は、それぞれの入出力機能によって異なる個別の書誌情報を生成する。個別書誌情報とは、例えば、ファクシミリ部５が使用するものとしては、受信先、送信先などファクシミリ部５のみに適用される情報である。
【００８１】
共通書誌情報生成部１５は、生成した共通書誌情報を記憶部１７に格納する。個別書誌情報生成部１６は、生成した個別書誌情報を記憶部１７に格納する。
【００８２】
図２は、共通書誌情報の一例を示す模式図である。ここでは、項目１〜１０の内容情報が共通書誌情報として設定されている。例えば項目１については項目名が文書番号で、その内容は０１である。
【００８３】
ここでは、文書番号によって全ての画像情報が管理される。共通書誌情報生成部１５が生成して記憶部１７に格納された共通書誌情報のうち、文書番号はそれぞれ異なった情報として、通して付けられ、以後、出力機能で出力する際には、この文書番号で記憶部１７から読み出して、以降の処理を施す。項目番号１０における項目内容の画位置は、記憶部１７に画像情報が格納された場合における格納アドレスである。
【００８４】
図３は、個別書誌情報の一例を示す模式図である。ここでは、ファクシミリ部５、スキャナ１、プロッタ６、およびＨＤＤ４のそれぞれの個別書誌情報を示している。これらの個別情報は、共通書誌情報における最初の項目である文書番号で識別する。図３においては、文書番号０１の画像情報について、個別書誌情報が生成されたものである。ＦＡＸ機能に関する個別書誌情報は、送信元および送信先である。図３に示すように、スキャナ１については入力サイズ、入力向きが、個別書誌情報として生成されている。プロッタ６についてはステープルの有無などが、また、ＨＤＤ４については、暗号化、バックアップの二重化などが個別書誌情報として生成されている。
【００８５】
図４は、入力制御部１１、設定部１２、出力制御部１８、および記憶部１７の構成と動作を説明する図である。入力制御部１１は、スキャナ制御部１１１、Ｆａｘ受信部１１２、およびＨＤＤ制御部１１３を有する。この入力制御部１１が有する各部は、設定に基づいてそれぞれの入力機能を実行する。
【００８６】
出力制御部１８は、プロッタ制御部１８１、Ｆａｘ送信部１８２、およびＨＤＤ制御部１８３を有する。この出力制御部１８が有する各部は、設定に基づいてそれぞれの出力機能を実行する。
【００８７】
記憶部１７は、ＲＧＢデータからなる画像データ１７１、共通書誌情報１７２、および個別書誌情報１７３を格納する。個別書誌情報は、それぞれスキャナ１、ＨＤＤ４、プロッタ６、およびＦａｘの各機能に関する図３に一例を挙げたような個別書誌情報である。格納される個別書誌情報１７３は、それぞれスキャナ１に個別のもの１７３ａ、ＨＤＤ４に個別のもの１７３ｂ、プロッタ６に個別のもの１７３ｃ、およびＦａｘに個別のもの１７３ｄである。
【００８８】
例えば、図３に示されているＦａｘ個別書誌情報の送信元情報は、ファクシミリ部５がＦａｘ受信した場合、Ｆａｘ受信部１１２によって取得される。また、Ｆａｘ個別書誌情報のうち送信先情報は、操作者が送信先として操作部２を介して入力した設定を、設定部１２が受け付け、設定部１２は、受け付けたＦａｘ送信先情報を、出力制御部１８に送信する。出力制御部１８のＦａｘ送信部１８２は、受信したＦａｘ送信先情報に従って送信を実行する。取得された送信元情報、あるいは設定された送信先情報などの個別情報は、文書番号に関連付けられて、記憶部１７の中の個別書誌情報におけるそれぞれの領域に格納される。
【００８９】
スキャナ１、プロッタ６、およびＨＤＤ４についての個別書誌情報についても同様であって、設定あるいは取得された場合に、記憶部１７におけるそれぞれの格納領域に格納される。
【００９０】
図５は、モニタ３に表示される機能選択画面の一例を示す模式図である。入力および出力に関連するそれぞれの機能がテキスト表示を伴ってスイッチの形態で表示され、指で接触することによって接触入力により設定されて実行開始する。
【００９１】
図６は、スキャン機能の設定画面の一例を示す模式図である。スキャン機能に関連するカラーモード、用紙サイズ、面の指定などがモニタ３画面上に示され、操作者は接触入力によってこれらの設定を行う。
【００９２】
図７は、実施の形態１による画像処理手順を説明するフローチャートである。ここでの手順は、操作者がスキャナ１による原稿の読み取りを設定し、プロッタ６が読み取った内容を出力する手順である。
【００９３】
操作者は、操作部２を介してスキャナ１読み取り設定を入力すると、設定部１２は設定を受け付け、入力制御部１１に設定情報を送信する（ステップＳ１０１）。入力制御部１１のスキャナ制御部１１１は、設定情報を受信して原稿画像の読み取りを開始する（ステップＳ１０２）。
【００９４】
また、設定部１２は、設定情報を書誌情報生成部１４にも送信し、共通書誌情報生成部１５は、スキャナ１が読み取る原稿画像に対して、図２に示した文書番号を初めとする共通書誌情報を生成し、生成した共通書誌情報を記憶部１７に格納する（ステップＳ１０３）。
【００９５】
画像データ生成部１３は、スキャナ１が読み取った原稿画像から画像データを生成し、記憶部１７に格納する。この場合の画像データは、例えばビットマップイメージのように、この画像処理装置に備えられた複数の出力機能において共通に使用可能な共通フォーマット上で生成される（ステップＳ１０４）。
【００９６】
個別書誌情報生成部１６は、設定部１２によって設定された読み込みの設定内容の情報、およびスキャナ制御部１１１が取得するスキャナ１に特有の情報から、図３に示すようなスキャナ１に固有の個別書誌情報を生成し、生成した個別書誌情報を記憶部１７に格納する（ステップＳ１０５）。
【００９７】
次に、出力に関しては、操作者は、操作部２を介してプロッタ６による出力設定を行う。設定部１２は設定を受け付け、出力制御部１８に設定情報を送信し、出力制御部１８のプロッタ制御部１８１は受信する設定情報に従ってプロッタ６の出力を命令する。また、書誌情報生成部１４にも送信し、書誌情報生成部１４の個別書誌情報生成部１６は、設定された情報に従って、プロッタ６の出力に必要な個別情報を生成する。例えば、図３に示すように、プロッタ６の出力に関してステープルの有無、パンチ穴の有無などの設定内容がプロッタ６の個別書誌情報として生成され、生成された個別書誌情報は記憶部１７に格納される（ステップＳ１０６）。
【００９８】
プロッタ制御部１８１は、先ず、設定情報から共通書誌情報を記憶部１７から読み出し（ステップＳ１０７）、読み出した共通書誌情報に従って画像データを読み出す（ステップＳ１０８）。プロッタ制御部１８１が読み出した画像データは、入出力のそれぞれの機能において使用可能な共通フォーマット上で生成された例えばビットマップイメージのような画像データである。
【００９９】
プロッタ制御部１８１はまた、記憶部１７に格納された個別書誌情報を読み出す（ステップＳ１０９）。プロッタ制御部１８１は、取得した共通書誌情報、画像データ、および個別書誌情報に従って、当該画像を印刷出力する（ステップＳ１１０）。
【０１００】
このようにして、スキャナ１で読み取った情報に従って、入出力機能における共通フォーマット上で使用可能な画像データを生成し、生成された画像データに関して、各入出力機能で読み取り可能な共通書誌情報、およびそれぞれの機能に特有の個別書誌情報を生成する。そして、プロッタ６で印刷出力する際には、共通書誌情報を取得し、この共通書誌情報によって画像データを取得し、さらにプロッタ６特有の個別書誌情報によって出力を設定して出力することによって、従来技術のように入出力それぞれの機能にのみ特化されたフォーマットによる画像データで入出力を行うのではなく、各機能に共通のフォーマットで画像データを生成して入出力処理を施すので、簡易な構成で種々の入出力機能に対応してそれらの機能を実行できる汎用性の高い画像処理装置を提供できる。
【０１０１】
図８は、実施の形態１による画像処理手順のうちＦａｘ受信の手順を説明するフローチャートである。Ｆａｘ受信部１１２が着信を検知して設定部１２に着信情報を送信すると、設定部１２は、Ｆａｘ受信に関する設定を行ない、Ｆａｘ受信部１１２に設定された情報を送信する（ステップＳ２０１）。Ｆａｘ受信部１１２は、ネットワークあるいは通信回線を介して送信されてくるデータを受信する（ステップＳ２０２）。
【０１０２】
Ｆａｘ受信部１１２は、受信する情報を分析する（ステップＳ２０３）。共通書誌情報生成部１５は、Ｆａｘ受信部１１２によって分析された情報、および設定された情報に従って共通書誌情報を生成して、記憶部１７に格納する（ステップＳ２０４）。
【０１０３】
画像データ生成部１３は、ファクシミリ部５が受信する情報から画像データを生成し、記憶部１７に格納する。この場合の画像データは、複数の出力機能において使用可能な共通フォーマット上で生成される（ステップＳ２０５）。
【０１０４】
個別書誌情報生成部１６は、設定された情報およびＦａｘ受信部１１２によって分析された情報に従って、図３に示すようなＦａｘに特有の個別書誌情報を生成し、生成した個別書誌情報を記憶部１７に格納する（ステップＳ２０６）。
【０１０５】
図９は、実施の形態１による画像処理手順のうちＦａｘ送信の手順を説明するフローチャートである。操作者は、操作部２を介してＦａｘ送信部１８２に送信の設定を行う（ステップＳ３０１）。そして、設定部１２に実行命令を送信する（ステップＳ３０２）と、設定部１２は設定を受け付けＦａｘ送信部１８２に出力実行を伝える（ステップＳ３０３）。Ｆａｘ送信部１８２は受信する設定情報に従って、共通書誌情報を記憶部１７から取得し（ステップＳ３０４）、共通書誌情報に従って画像データを記憶部１７から取得する（ステップＳ３０５）。個別書誌情報生成部１６は、設定された情報に従って、Ｆａｘ送信に必要な個別情報を生成する。例えば、図３に示すように、送信先情報を生成し、記憶部１７に格納する。また、Ｆａｘ送信部１８２は、画像データを取得し（ステップＳ３０５）、個別書誌情報を取得し（ステップＳ３０６）、これら画像データおよび取得した個別書誌情報に従って送信データを生成し（ステップＳ３０７）、送信先に対して送信命令を実行する（ステップＳ３０８）。
【０１０６】
図１０は、実施の形態１による画像処理手順のうち、Ｆａｘ受信した画像をプロッタ６で印刷出力する手順を説明するフローチャートである。Ｆａｘ受信手順については既に図８で説明し、プロッタ６で印刷出力する手順については図７で説明したので、以下、補足的に異なる部分を簡略に説明する。
【０１０７】
ステップＳ４０１〜ステップＳ４０５までは図８と同様の手順である。ここで、受信した画像データをプロッタ６によって印刷出力しようとする場合は（ステップＳ４０６）、出力に関する個別書誌情報として送信先情報は必要ないので、共通書誌情報のみの読み取りとなる（ステップＳ４０７）。プロッタ制御部１８１は、記憶部１７から読み出した共通書誌情報に従って、画像データを記憶部１７から読み出し（ステップＳ４０８）、記憶部１７から読み出した画像データに対して印刷出力処理を施して出力する（ステップＳ４０９）。
【０１０８】
このようにして、ファクシミリ部５で受信してファクシミリ部５で送信する場合も、あるいは、ファクシミリ部５で受信してプロッタ６で印刷出力する場合も、あるいはスキャナ１で入力して他の機能で出力する場合も、各機能において共通的に読み込み利用することができる共通書誌情報、および画像データを利用し、さらに各入出力機能によって個別的に設定される個別書誌情報によって入出力を設定して入出力の動作を制御して、各機能に共通的なフォーマット上で入出力データに対して処理を施すことができるので、簡易な構成で種々の入出力機能に適用できる汎用性の高い画像処理装置となる。
【０１０９】
また、共通書誌情報、画像データ、および個別書誌情報という共通のフォーマット上で処理することによって、新たな入力装置や新たな出力装置を追加した場合であっても、追加された入力装置および出力装置をこれまで通りと同様に入出力動作させることができるので、簡易な構成で拡張性に富み汎用性の高い画像処理装置を提供できる。
【０１１０】
（２．実施の形態２）
実施の形態２が、実施の形態１と異なる点は、書誌情報生成部１４において、個別書誌情報生成部１６を有しない構成である。実施の形態２による画像処理装置は不図示であるが、図１に示した機能的ブロック図における書誌情報生成部１４から個別書誌情報生成部１６を除外した構成である。
【０１１１】
この構成によって、実施の形態１と比較すると、複数の入出力機能において、画像データについての個別書誌情報を使用しないので、詳細な画像データ処理についての設定ができなく、詳細な入出力処理の設定を行うことはできないが、しかし、共通の画像データと共通書誌情報のみを扱うこととなるので、より簡易な構成によって共通する画像データを共通のフォーマット上で扱って、異なる複数の出力装置から出力させることができる簡便で利便性の高い画像処理装置を提供することができる。
【０１１２】
（３．実施の形態３）
実施の形態３による画像処理装置が、実施の形態１と異なる点は、スキャナ１を初めとして入力機能が、入力する情報に含まれるメタ情報を取得し、取得したメタ情報から、共通書誌情報および個別処理情報を生成する点である。
【０１１３】
図１１は、実施の形態３による画像処理装置３０の機能的ブロック図である。この画像処理装置は、実施の形態１による画像処理装置に、入力する情報に含まれるメタ情報を取得するメタ情報取得部３１を、さらに備える。そして、共通書誌情報生成部１５は、メタ情報取得部３１が取得したメタ情報から共通書誌情報を生成する。また、個別書誌情報生成部１６は、取得したメタ情報から個別書誌情報を生成する。
【０１１４】
一般的なメタ情報には、幾つかの種類があり、例えば、文書の定義を表すメタ情報、文書フォーマットを表すメタ情報、章/段落/行など文書内部の構造を定義する文書の構造を表すメタ情報、作成者や作成日などの文書の属性を表すメタ情報、および閲覧数や複写回数など文書の状況を表すメタ情報などを含む。ここでは、メタ情報として、入力した時の入力装置情報、および出力する時の出力装置情報などを扱うことができる。
【０１１５】
実施の形態３で使用するメタ情報は、例えばバーコードなどを介してスキャナで読み込む場合は、あらかじめ画像に埋め込まれているものである。メタ情報は、共通書誌情報および個別書誌情報のテーブル情報が識別可能に保存されている。即ち、メタ情報は、共通書誌情報（図２の例では、１、２などの項目番号）、および個別書誌情報（図３の場合はＦ１、Ｆ２などで表現されている値）がセットで、画像にバーコードで組み込まれている。これらの値は、ＡＳＣＩＩコードなどで表現する。複数の項目を含む場合には、改行コードを入れるなどのルールを定めておく。
【０１１６】
入力としてメタ情報を利用する場合には、上記の番号と値のセットとで保存されていれば、セットの情報から共通書誌情報および個別書誌情報を解析し、記憶部１７に格納する。出力としてメタ情報を添付する場合には、共通書誌情報および個別処理情報から上記の番号と値のセットを作成し、添付する。
【０１１７】
さらに、取得したメタ情報から個別書誌情報を生成すれば、異なる複数の入出力機能に対応する個別書誌情報をも読み取ることができる。
【０１１８】
この構成によって、例えば、印刷物の書誌情報および画像データが記憶部１７に格納されていて、この印刷物の共通書誌情報がメタデータ（バーコード）として表紙などに印刷されていた場合、スキャナ１によって表紙だけを読み取ることによってメタデータから共通書誌情報を取得して、取得される共通書誌情報に基づいて、格納されているこの印刷物の全部の頁についての画像データを取得することができる。
【０１１９】
また、出力設定をバーコードで画像に埋め込んでいる場合には、表紙を読み込むだけで、出力装置についての個別書誌情報を取得して出力設定を行うことができるので、バーコードが含まれた表紙だけを読み取って、例えばプロッタ６による全頁の印刷出力や、ファクシミリ部５による全頁の送信など、出力装置によって全頁を出力することができる。
【０１２０】
このように、例えば、個別書誌情報がメタデータ（バーコード）として印刷物に埋め込まれている場合、スキャナ１によって読み込んで個別書誌情報を取得し、取得した個別書誌情報を使用することによってより詳細に、全部の頁を他の出力機能、例えば印刷出力、ファクシミリ送信、あるいはＨＤＤ４への書き込みによる出力を行うことができる。
【０１２１】
図１２は、実施の形態３による画像処理手順を説明するフローチャートである。以下、既に説明した手順を重複する部分は説明を省略あるいは簡略化して、異なる手順について重点的に説明する。
【０１２２】
操作部２からの設定入力によって、スキャナ制御部１１１はスキャン動作を設定され（ステップＳ５０１）、ＨＤＤ制御部は、読み出しとデータ生成が設定される（ステップＳ５０２）。操作部２からの実行指令が送信されることによって（ステップＳ５０３）、設定部１２はスキャナ１による読み取りをスキャナ制御部１１１に命令する（ステップＳ５０４）。
【０１２３】
スキャナ１は読み取りを実行し、この時同時に原稿中に描かれているメタデータも読み取る。メタデータとしては、例えばバーコードなどが望ましい（ステップＳ５０５）。
【０１２４】
メタ情報取得部３１は、スキャナ１によって読み取られたメタデータを解析する。共通書誌情報生成部１５は、メタ情報取得部３１によって解析されたメタデータから共通書誌情報を生成する。また、個別書誌情報生成部１６は、メタ情報取得部によって解析されたメタデータから個別書誌情報を生成する（ステップＳ５０６）。
【０１２５】
これらの共通書誌情報および個別書誌情報、それに画像データは、記憶部１７に送信されて格納される（ステップＳ５０７〜５０９）。
【０１２６】
設定部１２によってＨＤＤ４による記憶部１７からの読み出しが命令されると（ステップＳ５１０）、ＨＤＤ４は共通書誌情報を読み出し（ステップＳ５１１）、読み出した共通書誌情報によって画像データを読み出し（ステップＳ５１２）、さらに個別処理情報を取得して（ステップＳ５１３）、画像データ生成部１３によって画像データが生成されて（ステップＳ５１４）、ＨＤＤ４に書き込まれる（ステップＳ５１５）。
【０１２７】
なお、入力情報からメタ情報を取得するのは、スキャナ１に限らず、各入力機能が入力する情報などから取得する構成とすることが望ましい。それぞれの入力機能を介してメタ情報を取得することができるからである。
【０１２８】
また、メタデータとしては、バーコードに限らず、地紋、電子透かしなど種々のメタデータが適用可能である。
【０１２９】
このように、実施の形態３による画像処理装置では、メタ情報取得部３１が、例えばスキャナ１入力により読み取ったメタデータを変換して解釈し、解釈されたメタデータに基づいて共通書誌情報生成部１５が共通書誌情報を生成し、個別書誌情報生成部１６が個別書誌情報を生成して、記憶部１７に格納されている画像データを、出力機能として例えばＨＤＤ４が読み出して記憶するので、入力機能によって情報を入力しただけでこの画像データについての書誌情報を取得し、そのまま出力機能の実行に移行することができるので、読み込みと同時に、全部の頁を、例えば印刷出力やファクシミリ送信などの出力機能によって出力することができる利便性の高い画像処理装置を提供することができる。
【０１３０】
実際の応用例としては、表紙をスキャナ１で読み込むだけで、それ以前に格納されている電子データを読み出して、出力機能例えばプロッタ６によって出力させることができる。
【０１３１】
（４．実施の形態４）
実施の形態４による画像処理装置４０が、実施の形態１と異なる点は、共通書誌情報を出力画像に埋め込むべきメタ情報に変換するメタ情報変換部４１を、さらに備え、出力機能は、メタ情報変換部４１の変換したメタ情報を埋め込んで出力する。また、メタ情報変換部４１は、個別書誌情報を出力画像に埋め込むメタ情報に変換する。
【０１３２】
この構成によって、画像出力する際に、共通書誌情報および個別書誌情報に基づくメタ情報を出力画像に埋め込んで画像出力させることができる。
【０１３３】
また、このように画像出力する際に、個別書誌情報に基づくメタ情報を出力画像に埋め込んで画像出力させることによって、この埋め込まれた画像からメタデータを読み取る例えばスキャナ１のような装置を用いた場合、画像から共通書誌情報および個別書誌情報を取得することができるので、出力画像情報を汎用的に使用することができる画像処理装置を提供することができる。
【０１３４】
図１３は、実施の形態４による画像処理装置の機能的ブロック図である。実施の形態４が実施の形態１と異なる点は、共通書誌情報を出力画像に埋め込むべきメタ情報に変換するメタ情報変換部４１を、さらに備えることである。メタ情報変換部は、また、個別書誌情報を出力画像に埋め込むべきメタ情報に変換する。そして、出力機能は、メタ情報変換部４１の変換したメタ情報を埋め込んで出力させる。
【０１３５】
メタ情報は、例えばバーコードである。従って、メタ情報変換部４１が、出力画像に埋め込むべきバーコード情報を生成し、画像データ生成部１３がメタ情報変換部の生成したバーコード情報を画像データに埋め込んで生成すると、各出力機能は、バーコード情報を埋め込んだ画像データを出力させることができる。
【０１３６】
図１４は、実施の形態４による画像処理手順を説明するフローチャートである。すでに実施の形態１〜３の説明において共通書誌情報および個別書誌情報を使用した画像データの入出力については説明しているので、既述の説明と異なる点について重点的に説明する。
【０１３７】
操作部２からの設定入力によってＨＤＤ４からの読み出しを設定し（ステップＳ６０１）、プロッタ６からの読み出しを設定する（ステップＳ６０２）。そして、操作部２からの入力によって、設定部１２に設定を実行し（ステップＳ６０３）、ＨＤＤ４に対して読み出しの実行命令を行う（ステップＳ６０４）。
【０１３８】
ＨＤＤ４は、画像データの読み出しを行い（ステップＳ６０５）、共通書誌情報生成部１５が分析を行って共通情報を生成して記憶部１７に書き込み、画像データ生成部１３が画像データを生成して記憶部１７に書き込み、個別書誌情報生成部１６が個別書誌情報を生成して記憶部１７に書き込む（ステップＳ６０６〜６０９）。
【０１３９】
設定部１２からプロッタ制御部１８１へは、メタ情報を画像に埋め込む命令が付随して送信され（ステップＳ６１０）、共通書誌情報により記憶部１７から読み込んだ画像データに対して、プロッタ制御部１８１が、メタ情報変換部４１によって共通書誌情報および個別書誌情報が変換されたメタデータを埋め込んだ出力画像データを生成して（ステップＳ６１１〜６１４）、印刷出力する（ステップＳ６１５）。
【０１４０】
これによって、メタ情報を埋め込んだ画像を出力させるので、出力された画像からメタ情報を読み取って広い用途の画像を出力することができる画像処理装置を提供することができる。
【０１４１】
（５．実施の形態５）
実施の形態５による画像処理装置５０が、実施の形態３と異なる点は、メタ情報をテキスト情報に変換するメタテキスト変換部５１を、さらに備え、出力機能は、メタテキスト変換部５１の変換したテキスト情報を出力画像に埋め込んで出力する点である。
【０１４２】
図１５は、実施の形態５による画像処理装置の機能的ブロック図である。この画像処理装置は、実施の形態３に加えて、さらにメタテキスト変換部５１を備える。メタテキスト変換部５１は、スキャナから入力されたメタ情報、例えば読み取ったバーコード情報を、バーコード情報とテキスト情報との対応テーブル（不図示）を使用して、テキスト情報に変換する。そして、出力機能は、メタテキスト変換部５１の変換したテキスト情報を出力画像に埋め込んで出力する。
【０１４３】
図１６は、実施の形態５による画像処理手順を説明するフローチャートである。実施の形態４までの説明と異なる点について重点的に説明する。メタテキスト変換部５１は、スキャナ１で読み取った画像を分析してメタデータ例えばバーコードを抽出し、抽出したバーコードとテキスト情報とを対応付けてテキスト情報を取得する（ステップＳ７０６）。
【０１４４】
プロッタ制御部１８１は、記憶部１７から画像データを読み出し、メタテキスト変換部５１によって変換されたテキスト情報を埋め込んで出力画像データを生成し（ステップＳ７１６）、印刷出力する（ステップＳ７１７）。
【０１４５】
ここで、メタテキスト変換部５１は、メタ情報を共通書誌情報および個別書誌情報のテキスト情報に変換する。従って、出力機能は、メタテキスト変換部５１によって変換された共通書誌情報および個別書誌情報をテキスト情報として出力画像に埋め込んで出力することができる。
【０１４６】
このようにして、スキャナのように埋め込まれた画像からメタデータを読み取る装置があった場合、画像からメタデータを読み取って共通書誌情報および個別書誌情報を取得し、テキスト情報に変換して画像に埋め込んで出力できるので、入力の際に例えば、スキャナ１で読み取っただけで画像にテキスト表示して出力できる利便性と汎用性の高い画像出力が可能な画像処理装置を提供することができる。
【０１４７】
（６．実施の形態による画像処理装置のハード構成）
図１７は、実施の形態による画像処理装置のハードウェア構成を示すブロック図である。この画像処理装置は、ファックスやスキャナなどの複合的機能を備える複合機（ＭＦＰ）として構成されている。図に示すように、このＭＦＰは、コントローラ１２１０とエンジン部１２６０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ１２１０は、ＭＦＰ全体の制御、画像処理制御、回転駆動制御、および各種の制御など、ＦＣＵＩ／Ｆ１２３０、操作表示部１２２０からの入力を制御するコントローラである。エンジン部１２６０は、ＰＣＩバスに接続可能な画像処理エンジンなどであり、例えば取得した画像データに対して誤差拡散やガンマ変換などの画像処理部分が含まれる。
【０１４８】
コントローラ１２１０は、ＣＰＵ１２１１と、ノースブリッジ（ＮＢ）１２１３と、システムメモリ（ＭＥＭ−Ｐ）１２１２と、サウスブリッジ（ＳＢ）１２１４と、ローカルメモリ（ＭＥＭ−Ｃ）１２１７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２１６と、ハードディスクドライブ１２１８とを有し、ノースブリッジ１２１３とＡＳＩＣ１２１６との間をＡＧＰ（Ａｃｃｅｌｅｒａｔｅｄ  Ｇｒａｐｈｉｃｓ  Ｐｏｒｔ）バス１２１５で接続した構成となる。また、ＭＥＭ−Ｐ１２１２は、ＲＯＭ（Ｒｅａｄ  Ｏｎｌｙ  Ｍｅｍｏｒｙ）１２１２ａと、ＲＡＭ（Ｒａｎｄｏｍ  Ａｃｃｅｓｓ  Ｍｅｍｏｒｙ）１２１２ｂとをさらに有する。
【０１４９】
ＣＰＵ１２１１は、ＭＦＰの全体制御を行うものであり、ＮＢ１２１３、ＭＥＭ−Ｐ１２１２およびＳＢ１２１４からなるチップセットを有し、このチップセットを介して他の機器と接続される。
【０１５０】
ＮＢ１２１３は、ＣＰＵ１２１１とＭＥＭ−Ｐ１２１２、ＳＢ１２１４、ＡＧＰ１２１５とを接続するためのブリッジであり、ＭＥＭ−Ｐ１２１２に対する読み書きなどを制御するメモリコントローラと、ＰＣＩマスタおよびＡＧＰターゲットとを有する。
【０１５１】
ＭＥＭ−Ｐ１２１２は、プログラムやデータの格納用メモリ、プログラムやデータの展開用メモリなどとして用いるシステムメモリであり、ＲＯＭ１２１２ａとＲＡＭ１２１２ｂとからなる。ＲＯＭ１２１２ａは、プログラムやデータの格納用メモリとして用いる読み出し専用のメモリであり、ＲＡＭ１２１２ｂは、プログラムやデータの展開用メモリ、画像処理時の画像描画メモリなどとして用いる書き込みおよび読み出し可能なメモリである。
【０１５２】
ＳＢ１２１４は、ＮＢ１２１３とＰＣＩデバイス、周辺デバイスとを接続するためのブリッジである。このＳＢ１２１４は、ＰＣＩバスを介してＮＢ１２１３と接続されており、このＰＣＩバスには、ＦＣＵＩ／Ｆ１２３０なども接続される。
【０１５３】
ＡＳＩＣ１２１６は、マルチメディア情報処理用のハードウェア要素を有するマルチメディア情報処理用途向けのＩＣ（Ｉｎｔｅｇｒａｔｅｄ  Ｃｉｒｃｕｉｔ）であり、ＡＧＰ１２１５、ＰＣＩバス、ＨＤＤ１２１８およびＭＥＭ−Ｃ１２１７をそれぞれ接続するブリッジの役割を有する。
【０１５４】
このＡＳＩＣ１２１６は、ＰＣＩターゲットおよびＡＧＰマスタと、ＡＳＩＣ１２１６の中核をなすアービタ（ＡＲＢ）と、ＭＥＭ−Ｃ１２１７を制御するメモリコントローラと、ハードウェアロジック等により画像データの回転などを行う複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部１２６０との間でＰＣＩバスを介してＵＳＢ（Ｕｎｉｖｅｒｓａｌ  Ｓｅｒｉａｌ  Ｂｕｓ）１２４０、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インタフェース１２５０が接続される。
【０１５５】
ＭＥＭ−Ｃ１２１７は、送信用画像バッファ、符号バッファとして用いるローカルメモリであり、ＨＤＤ１２１８は、画像データの蓄積、プログラムの蓄積、フォントデータの蓄積、フォームの蓄積を行うためのストーレジである。
【０１５６】
ＡＧＰ１２１５は、グラフィック処理を高速化するために提案されたグラフィックスアクセラレータカード用のバスインタフェースであり、ＭＥＭ−Ｐ１２１２に高スループットで直接アクセスすることにより、グラフィクスアクセラレータカードを高速にするものである。
【０１５７】
ＡＳＩＣ１２１６に接続する操作表示部１２２０は、操作者からの操作入力を受け付けて、ＡＳＩＣ１２１６に受け付けられた操作入力情報を送信する。
【０１５８】
なお、実施の形態によるＭＦＰで実行される感光体回転補正プログラムは、ＲＯＭ等に予め組み込まれて提供される。
【０１５９】
実施の形態による画像処理装置で実行される感光体回転補正プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１６０】
さらに、実施の形態によるＭＦＰで実行される画像処理プログラムを、インターネット等のネットワークに接続されたコンピュータ上に格納し、ネットワーク経由でダウンロードさせることにより提供するように構成しても良い。また、実施の形態によるＭＦＰで実行される画像処理プログラムをインターネット等のネットワーク経由で提供または配布するように構成しても良い。
【０１６１】
実施の形態によるＭＦＰで実行される画像処理プログラムは、上述した各部（入力制御部１１、設定部１２，画像データ生成部１３、書誌情報生成部１４、記憶部１７、および出力制御部１８など）を含むモジュール構成となっており、実際のハードウェアとしてはＣＰＵ（プロセッサ）が上記ＲＯＭから画像処理プログラムを読み出して実行することにより上記各部の入力制御部１１、設定部１２，画像データ生成部１３、書誌情報生成部１４、記憶部１７、および出力制御部１８などが主記憶装置上に生成されるようになっている。
【産業上の利用可能性】
【０１６２】
以上のように、本発明にかかる画像処理装置、画像処理方法、およびその方法をコンピュータに実行させるプログラムは、画像処理技術に有用であり、特に、多機能の入出力機能を有する画像処理装置における画像処理技術に適している。
【図面の簡単な説明】
【０１６３】
【図１】実施の形態１による画像処理装置の機能的ブロック図である。
【図２】共通書誌情報の一例を示す模式図である。
【図３】個別書誌情報の一例を示す模式図である。
【図４】入力制御部１１、設定部１２、出力制御部１８、および記憶部１７の構成と動作を説明する図である。
【図５】モニタ３に表示される機能選択画面の一例を示す模式図である。
【図６】スキャン機能の設定画面の一例を示す模式図である。
【図７】実施の形態１による画像処理手順を説明するフローチャートである。
【図８】実施の形態１による画像処理手順のうちＦａｘ受信の手順を説明するフローチャートである。
【図９】実施の形態１による画像処理手順のうちＦａｘ送信の手順を説明するフローチャートである。
【図１０】実施の形態１による画像処理手順のうち、Ｆａｘ受信した画像をプロッタ６で印刷出力する手順を説明するフローチャートである。
【図１１】実施の形態３による画像処理装置の機能的ブロック図である。
【図１２】実施の形態３による画像処理手順を説明するフローチャートである。
【図１３】実施の形態４による画像処理装置の機能的ブロック図である。
【図１４】実施の形態４による画像処理手順を説明するフローチャートである。
【図１５】実施の形態５による画像処理装置の機能的ブロック図である。
【図１６】実施の形態５による画像処理手順を説明するフローチャートである。
【図１７】実施の形態による画像処理装置のハードウェア構成を示すブロック図である。
【符号の説明】
【０１６４】
１  スキャナ
２  操作部
３  モニタ
４  ＨＤＤ
５  ファクシミリ部
６  プロッタ
１０  画像処理部
１１  入力制御部
１２  設定部
１３  画像データ生成部
１４  書誌情報生成部
１７  記憶部
１８  出力制御部
【図１】
2008011409.tif 000003
【図２】
2008011409.tif 000004
【図３】
2008011409.tif 000005
【図４】
2008011409.tif 000006
【図５】
2008011409.tif 000007
【図６】
2008011409.tif 000008
【図７】
2008011409.tif 000009
【図８】
2008011409.tif 000010
【図９】
2008011409.tif 000011
【図１０】
2008011409.tif 000012
【図１１】
2008011409.tif 000013
【図１２】
2008011409.tif 000014
【図１３】
2008011409.tif 000015
【図１４】
2008011409.tif 000016
【図１５】
2008011409.tif 000017
【図１６】
2008011409.tif 000018
【図１７】
2008011409.tif 000019